(57)【特許請求の範囲】
【請求項１】
板状の基台と、
前記基台より立設された支持体と、
前記基台上において回動自在に取付けられ、回動することによって、先端部が円弧を描くように移動する連結アームと、
前記連結アームの先端部に取り付けられ、前記連結アームが回動することにより前記基台に対して開閉する挟持体と、
前記基台上において支持軸を中心として回動自在に取り付けられ、回動することによって円弧を描くように移動する一端側が前記挟持体に接続されるバネ部材と、
前記基台上において支持体に前記支持軸により回動自在に固定され、且つ前記バネ部材の他端側に接続され、操作することによって前記バネ部材を介して前記挟持体を開閉するための操作レバーとを備えた綴具であって、
前記操作レバーの突起をロックするロック手段が、挟持体とは反対側における支持体の一側部において、操作レバーの長手方向に沿って移動自在に設けられ、
前記操作レバー及びロック手段は、操作レバーをロック手段側に回動して、操作レバーの突起をロック手段にロック状態にするように形成され、且つ、ロック状態にあるロック手段を移動することにより、操作レバーの突起のロックを解除するように形成された、綴具。
【請求項２】
板状の基台と、
前記基台より立設された支持体と、
前記基台上において回動自在に取付けられ、回動することによって、先端部が円弧を描くように移動する連結アームと、
前記連結アームの先端部に取り付けられ、前記連結アームが回動することにより前記基台に対して開閉する挟持体と、
前記基台上において支持軸を中心として回動自在に取り付けられ、回動することによって円弧を描くように移動する一端側が前記挟持体に接続されるバネ部材と、
前記基台上において支持体に前記支持軸により回動自在に固定され、且つ前記バネ部材の他端側に接続され、操作することによって前記バネ部材を介して前記挟持体を開閉するための操作レバーとを備えた綴具であって、
前記操作レバーの突起をロックするロック手段が、挟持体とは反対側における支持体の一側部において、操作レバーの長手方向に沿って移動自在に設けられ、
前記ロック手段は、操作レバーの突起をロックする方向に付勢された、綴具。
【請求項３】
板状の基台と、
前記基台より立設された支持体と、
前記基台上において回動自在に取付けられ、回動することによって、先端部が円弧を描くように移動する連結アームと、
前記連結アームの先端部に取り付けられ、前記連結アームが回動することにより前記基台に対して開閉する挟持体と、
前記基台上において支持軸を中心として回動自在に取り付けられ、回動することによって円弧を描くように移動する一端側が前記挟持体に接続されるバネ部材と、
前記基台上において支持体に前記支持軸により回動自在に固定され、且つ前記バネ部材の他端側に接続され、操作することによって前記バネ部材を介して前記挟持体を開閉するための操作レバーとを備えた綴具であって、
前記操作レバーの突起をロックするロック手段が、挟持体とは反対側における支持体の一側部において、操作レバーの長手方向に沿って移動自在に設けられ、
前記ロック手段は、操作レバーの突起のロックを解除する間隙部が形成された、綴具。
【請求項４】
ロック手段の間隙部は、操作部材の突起の直下に設けられ、操作レバーをロックするとき及びロックを解除するときに通過して突起がロック位置に移動するように構成された、請求項３に記載の綴具。
【請求項５】
ロック手段は、バネにより付勢された、請求項１ないし４のいずれかに記載の綴具。
【請求項６】
ロック手段は、支持体とロック手段との間に架け渡されたバネにより付勢された、請求項５に記載の綴具。
【発明の詳細な説明】
【技術分野】
【０００１】
この発明は綴具に関し、特にたとえば、ファイルに取り付けられて書類などを挟持することにより綴じ込むための綴具に関する。
【背景技術】
【０００２】
従来、板状の基台、前記基台上において回転自在に取付けられ、回転することによって、先端部が円弧を描くように移動する支持アーム、前記支持アームの先端部に取り付けられ、前記支持アームが回転することにより前記基台に対して開閉する挟持体、前記基台上において支持軸を中心として回転自在に取り付けられ、回転することによって円弧を描くように移動する一端側が前記挟持体に接続されるバネ部材、および前記基台上において前記バネ部材の他端側に接続され、操作することによって前記操作部材を介して前記挟持体を開閉するための操作レバーを含む綴具であって、前記バネ部材の一端側が前記挟持体の中央部から外れた位置に接続され、前記挟持体が閉じたときに前記バネ部材によって前記挟持体が前記基台側に付勢される、綴具がある（特開２０００−２７２２８１号公報）。
しかしながら、前記綴具にあっては、操作レバーのロックを解除するときに、当該操作レバーの自由端側を基台の設置面部側に押圧すると同時に、直立体から離れる水平方向にも力を加えなければならず、操作方向が二方向となって操作の簡便性が損なわれるという不都合があり、特に、綴じ込まれた書類の枚数が多いときは、バネ部材のばね力が強く発揮される状態となっているため、前記二方向に操作力を付与することは押圧力が分散してしまう原因となり、ひいてはロック解除に困難を極めることになるという問題があるとして、一方向に向けられた力を操作部材に加えるだけで当該操作レバーのロックと、その解除とを可能とした綴具が、特開２００２-２４８８８３号において提案されている。
【０００３】
【特許文献１】特開２０００−２７２２８１号公報
【特許文献２】特開２００２−２４８８８３号公報
【発明の開示】
【発明が解決しようとする課題】
【０００４】
しかしながら、特開２００２−２４８８８３号において、例えば第６実施例として示された綴具においては、ロック手段１５は、操作部材１２の自由端側に第１のロック形成部を構成するスライド部材１００が設けられる一方、第２のロック形成部を構成する起立部材１０１がベース１１に設けられている。
この綴具においては、操作部材１２の自由端側に指先をあてがって押し下げ力を付与すれば、操作部材１２がロック位置に保たれる状態となり、又、ロックを解除する場合には、スライド板部１０５の上面に指先をあてがい、これを操作部材１２の自由端側に引く操作をすればよい。
ところが、この綴具においては、操作部材１２にスライド部材１００を設けたために、操作部材１２の直下に起立部材１０１をベース１１より上方に向けて起立させなければならず、操作部材１２がロック解除された状態の時に、起立部材１０１に人体や物体が衝突しやすく、又衝突した人体や物体を傷めやすいという問題がある。
それゆえに、この発明の主たる目的は、操作レバーが不用意に外れることなく、確実に操作レバーをロックすることができ、ロックする部材に人体や他物体が引っかかることがきわめて少ない、綴具を提供することである。
【課題を解決するための手段】
【０００５】
この発明の請求項１にかかる綴具は、板状の基台と、前記基台より立設された支持体と、前記基台上において回動自在に取付けられ、回動することによって、先端部が円弧を描くように移動する連結アームと、前記連結アームの先端部に取り付けられ、前記連結アームが回動することにより前記基台に対して開閉する挟持体と、前記基台上において支持軸を中心として回動自在に取り付けられ、回動することによって円弧を描くように移動する一端側が前記挟持体に接続されるバネ部材と、前記基台上において支持体に前記支持軸により回動自在に固定され、且つ前記バネ部材の他端側に接続され、操作することによって前記バネ部材を介して前記挟持体を開閉するための操作レバーとを備えた綴具であって、前記操作レバーの突起をロックするロック手段が、挟持体とは反対側における支持体の一側部において、操作レバーの長手方向に沿って移動自在に設けられ、前記操作レバー及びロック手段は、操作レバーをロック手段側に回動して、操作レバーの突起をロック手段にロック状態にするように形成され、且つ、ロック状態にあるロック手段を移動することにより、操作レバーの突起のロックを解除するように形成された、綴具である。
この発明の請求項２にかかる綴具は、板状の基台と、前記基台より立設された支持体と、前記基台上において回動自在に取付けられ、回動することによって、先端部が円弧を描くように移動する連結アームと、前記連結アームの先端部に取り付けられ、前記連結アームが回動することにより前記基台に対して開閉する挟持体と、前記基台上において支持軸を中心として回動自在に取り付けられ、回動することによって円弧を描くように移動する一端側が前記挟持体に接続されるバネ部材と、前記基台上において支持体に前記支持軸により回動自在に固定され、且つ前記バネ部材の他端側に接続され、操作することによって前記バネ部材を介して前記挟持体を開閉するための操作レバーとを備えた綴具であって、前記操作レバーの突起をロックするロック手段が、挟持体とは反対側における支持体の一側部において、操作レバーの長手方向に沿って移動自在に設けられ、前記ロック手段は、操作レバーの突起をロックする方向に付勢された、綴具である。
この発明の請求項３にかかる綴具は、板状の基台と、前記基台より立設された支持体と、前記基台上において回動自在に取付けられ、回動することによって、先端部が円弧を描くように移動する連結アームと、前記連結アームの先端部に取り付けられ、前記連結アームが回動することにより前記基台に対して開閉する挟持体と、前記基台上において支持軸を中心として回動自在に取り付けられ、回動することによって円弧を描くように移動する一端側が前記挟持体に接続されるバネ部材と、前記基台上において支持体に前記支持軸により回動自在に固定され、且つ前記バネ部材の他端側に接続され、操作することによって前記バネ部材を介して前記挟持体を開閉するための操作レバーとを備えた綴具であって、前記操作レバーの突起をロックするロック手段が、挟持体とは反対側における支持体の一側部において、操作レバーの長手方向に沿って移動自在に設けられ、前記ロック手段は、操作レバーの突起のロックを解除する間隙部が形成された、綴具である。
この発明の請求項４にかかる綴具は、ロック手段の間隙部は、操作部材の突起の直下に設けられ、操作レバーをロックするとき及びロックを解除するときに通過して突起がロック位置に移動するように構成された、請求項３に記載の綴具である。
この発明の請求項５にかかる綴具は、ロック手段は、バネにより付勢された、請求項１ないし４のいずれかに記載の綴具である。
この発明の請求項６にかかる綴具は、ロック手段は、支持体とロック手段との間に架け渡されたバネにより付勢された、請求項５に記載の綴具である。
【発明の効果】
【０００６】
この発明によれば、板状の基台と、前記基台より立設された支持体と、前記基台上において回動自在に取付けられ、回動することによって、先端部が円弧を描くように移動する連結アームと、前記連結アームの先端部に取り付けられ、前記連結アームが回動することにより前記基台に対して開閉する挟持体と、前記基台上において支持軸を中心として回動自在に取り付けられ、回動することによって円弧を描くように移動する一端側が前記挟持体に接続されるバネ部材と、前記基台上において支持体に前記支持軸により回動自在に固定され、且つ前記バネ部材の他端側に接続され、操作することによって前記バネ部材を介して前記挟持体を開閉するための操作レバーとを備えた綴具であって、前記操作レバーの突起をロックするロック手段が、挟持体とは反対側における支持体の一側部において、操作レバーの長手方向に沿って移動自在に設けられ、前記操作レバー及びロック手段は、操作レバーをロック手段側に回動して、操作レバーの突起をロック手段にロック状態にするように形成され、且つ、ロック状態にあるロック手段を移動することにより、操作レバーの突起のロックを解除するように形成されているので、確実に操作レバーのロックをすることができ、しかも、ロック時及びロック解除時のいずれにおいてもロック手段に物体が引っかかったり、人体が触れてそれらを痛めることがない。
請求項２の発明によれば、ロック手段は、操作レバーの突起をロックする方向に付勢されているので、操作レバーのロック時において、不用意に操作レバーのロックが解除されることはない。
請求項３の発明によれば、ロック手段は、操作レバーの突起のロックを解除する間隙部が形成されているので、操作レバーの突起がロックを解除する間隙部より抜けててロックが解除される。
請求項４の発明によれば、ロック手段の間隙部は、操作部材の突起の直下に設けられ、操作レバーをロックするとき及びロックを解除するときに通過して突起がロック位置に移動するように構成されているので、操作レバーのロックをするとき、操作レバーを真下に押し下げることにより、操作レバーのロックをすることができる。
請求項５及び６の発明によれば、ロック手段は、操作レバーの突起をロックする方向に付勢されているので、操作レバーのロック時において、不用意に操作レバーのロックが解除されることはない。
【０００７】
この発明の上述の目的、その他の目的、特徴および利点は、図面を参照して行う以下の発明の実施の形態の詳細な説明から一層明らかとなろう。
【発明を実施するための最良の形態】
【０００８】
図１および図２はこの発明の一実施の形態である綴具の一例を示す斜視図であって、図１は閉じた状態を示す斜視図であり、図２は開いた状態を示す斜視図である。
綴具１０は、たとえば金属板などで矩形板状に形成される基台１２を含む。基台１２の幅方向の一端には、支持体１４が形成される。支持体１４は、基台１２の長手方向の一端側（手前側）から他端側（後ろ側）に亘って、基台１２に対して直立するように形成される板状体であり、手前側から後ろ側に亘って同一の高さに形成される。
【０００９】
また、基台１２には、支持体１４に平行して、後ろ側のアーム枢支部１６及び手前側のアーム枢支部１８と軸受部２０とが形成される。アーム枢支部１６及び１８と軸受部２０とは、たとえば基台１２の一部に切れ目を形成し、切れ目を形成した部分を基台１２上に垂直状に起こすことによって形成される、それらには、その略中央に、貫通孔が形成される。
【００１０】
支持体１４からアーム枢支部１６及び１８の貫通孔を通るようにして、連結アーム２２及び２４が形成される。連結アーム２２及び２４は、アーム枢支部１６及び１８部分で折れ曲がってアーム枢支部１６及び１８の面に平行するように延び、さらに折れ曲がって先端部がアーム枢支部１６及び１８の面にほぼ直交する向きとなるように形成される。連結アーム２２及び２４は、支持体１４の支持部分とアーム枢支部１６及び１８の支持部分とに跨って取り付けられ、その支持部分を枢支点として、回動可能に取り付けられる。したがって、連結アーム２２及び２４が回動することにより、その先端部は円弧を描くようにして移動する。
【００１１】
連結アーム２２及び２４の先端部には、挟持体２６が取付けられる。挟持体２６は、長方形状に形成され、基台１２との間に書類などを挟み込むことによって、書類を保持するためのものである。この挟持体２６の長手方向の両端側において、挟持体２６の側面に連結アーム２２及び２４の先端部が取り付けられる。さらに、支持体１４と対向する軸受部２０との間には、操作レバー３２の枢軸たる支持軸２８が取付けられる。この支持軸２８に、バネ部材３０を構成するねじりコイルばねのコイル部を巻回するようにして、バネ部材３０が回転可能に取付けられる。
【００１２】
バネ部材３０の一端側のコイル部の端部から延びる作動腕３０ａは、軸受部２０の面に平行に延び、さらに折れ曲がって軸受部２０の面にほぼ直交するように形成される。そして、バネ部材３０の一端側の作動腕３０ａが、挟持体２６に接続される。このとき、バネ部材３０の一端側の作動腕３０ａは、挟持体２６の長手方向の中央部より一方の連結アーム２２寄りの部分に接続される。
さらに、支持軸２８に近接して、操作レバー３２が形成される。操作レバー３２には、バネ部材３０の他端側のコイル部の端部から延びる作動腕３０ｂが接続される。
そして、操作レバー３２は、それが倒れた状態において、支持軸２８部分から支持軸２８に対して遠い位置にある基台１２の手前側端部まで延びるように形成される。
操作レバー３２は、その後ろ側端には支持軸２８に枢支される枢支部を有し、且つ、その自由端側の上面に押圧部を有する操作レバー本体３４を備えている。操作レバー本体３４の下面には、長手方向に延びる突条３６が形成され。該突条３６の支持体１４側表面には、操作レバー３２をロックするための突起３６aが支持体１４側に向けて突設されている。
【００１３】
支持体１４は、基台１２に連続して、操作レバー３２の長手方向に沿って、後ろ側のアーム枢支部１６から手前側のアーム枢支部１８の近傍に至るまで設けられており、ロック手段１００は、この支持体１４に移動自在に設けられている。
支持体１４は、基台１２より起立された直立部１４aと、直立部１４aの先端（基台１２とは反対側）が、水平方向に折り曲げられた滑り保持部１４bとを備える。滑り保持部１４bは、直立部１４aの長手方向に連続して延びている。
【００１４】
挟持体２６とは反対側における操作レバー３２の側にある支持体１４に、操作レバー３２の突起３６aをロックするロック手段１００が、操作レバー３２の長手方向に沿って移動自在に設けられる。
ロック手段１００は、操作レバー３２の長手方向に伸びる、略直方体状ロック本体１０２を備え、人体又は物体が引っ掛からないような、主として平面からなるブロック体であり、支持体１４に嵌合するガイド溝１０４が長手方向に穿設され、ガイド溝１０４の内面が、支持体１４の外表面に摺接する。
【００１５】
ロック本体１０２は、水平平面板状の上壁１０２aと、該上壁１０２aの操作レバー３２側の端部より垂下された垂直平面板状の内壁１０２bと、該上壁１０２aの支持体１４の外側の端部より垂下された垂直平面板状の外壁１０２cと、該外壁１０２cの下部より直立部１４a側にむけて突出された水平平面板状の下壁１０２dと、外壁１０２cの内面より直立部１４a側に向けて突出された水平状の中間壁１０２eとを備える。
下壁１０２dの直立部１４a側表面は、直立部１４aと摺接する平面に形成されている。
【００１６】
ロック手段１００のガイド溝１０４は、支持体１４の直立部１４aに対応する垂直溝部１０４aと、支持体１４の滑り保持部１４bに対応する水平溝部１０４bとを備える。
垂直溝部１０４aは、内壁１０２bの内面と中間壁１０２cの外面との間に形成され、水平溝部１０４bは、上壁１０２aの内面と中間壁１０２cの上面との間に形成されている。
【００１７】
ロック手段１００は、ロック本体１０２のガイド溝１０４より外側の、すなわち操作レバー３２側の内壁１０２bの下縁には、前記操作レバー３２の突起３６aを係止し、操作レバー３２をロック状態にするための係止縁１０６が形成されている。そして、操作レバー３２の突起３６aの側面は、垂直及び斜めに切り欠かれ、操作レバー３２を押し下げたときに内壁１０２bの操作レバー３２側表面を摺動することができるようにされている。
係止縁１０６の手前側、すなわち操作レバー３２の自由端側には、操作レバー３２の突起３６aのロックを解除するための間隙部１０８が形成されている。
【００１８】
間隙部１０８は、ロック手段１００の長手方向において、ロック手段１００を支持体１４に沿って操作レバー３２の解除方向（後ろ側）に向けて押して移動させたとき、係止縁１０６に係止されていた操作レバー３２の突起３４が間隙部１０８の位置に至るような位置に形成されており、また、間隙部１０８の長さ及び幅は、操作レバー３２の支持体１４側側縁より突き出された突起３６aの突き出した長さ及び幅に対応して、突起３６aの長さ及び幅と同一かもしくはそれ以上の長さ及び幅を有する。
そして、直立部１４aは、ロック手段１００がホームポジション（ロック手段１００を後ろ側に向けて押さない位置）にあるときに、間隙部１０８より後方、この実施の形態においては、操作レバー３２の突起３６ａの後ろ側よりわずかに後ろ側の位置まで形成されている。
【００１９】
ロック手段１００は、その手前側端にロック手段１００を押す押圧部１００ａを備え、且つ操作レバー３２の突起３６aをロックする方向に付勢する付勢手段１１０が設けられている。
押圧部１００ａは、人が指でロック手段１００を押すに必要な面積を備え、閉じられた操作レバー３２の後ろ側に不用意な力がかからない高さと幅とを備え、間隔ができるだけで少くなるように構成されている。
付勢手段１１０は、係止縁１０６より下方において、支持体１４の一端（手前側の端縁の突出片１４c）とロック手段１００の手前側の一端（ロック手段１００の押圧部１００ａの内側）との間に架け渡されたコイルバネ１１２により構成されている。
ロック手段１００は、コイルバネ１１２の下部に、ロック手段１００を後ろ側に向けて押したときに操作レバー３２のロックを解除された後に適宜な位置で停止させるための停止片１１４が操作レバー３２に向けて突出されており、停止片１１４が、支持体１４の手前側端縁に突き当たりロック手段１００が停止するように構成されている。
【００２０】
この綴具１０では、操作レバー３２を開閉することにより、バネ部材３０を介して挟持体２６を開閉させることができる。挟持体２６が閉じた状態において、操作レバー３２を倒して突起３６aを係止縁１０６に嵌めることにより、バネ部材３０によって挟持体２６が基台１２側に付勢される。このバネ部材３０の力により、書類などが基台１２と挟持体２６との間に保持される。また、操作レバー３２を起こすことにより、バネ部材３０を介して挟持体２６が開き、書類を取り外すことができる。なお、この綴具１０では、書類を挟むときに、書類の端部を揃えるために、基台１２からほぼ直交するようにして、２つの整列部材３８が形成される。これらの整列部材３８は、アーム支持部１６及び１８と同様に基台１２に切れ目を形成し、切れ目を形成した部分を基台１２上に起こすことによって形成される。この綴具１０は、基台１２に形成された貫通孔４０を通して、リベットなどによりファイルに取り付けられる。
【００２１】
前記実施の形態とは異なる別の実施の形態である綴具について、以下説明する。
前記実施の形態の綴具と同一又は均等な構成要件については、同一符号によって説明する。
【００２２】
図１３および図１４はこの発明の別の実施の形態である綴具の一例を示す斜視図であって、図１３は閉じた状態を示す斜視図であり、図１４は開いた状態を示す斜視図である。
綴具２１０は、たとえば金属板などで矩形板状に形成される基台１２を含む。基台１２の幅方向の一端には、支持体１４が形成される。支持体１４は、基台１２の長手方向の一端側（手前側）から他端側（後ろ側）に亘って、基台１２に対して直立するように形成される板状体であり、手前側から後ろ側に亘って同一の高さに形成される。
【００２３】
また、基台１２には、支持体１４に平行して、後ろ側のアーム枢支部１６及び手前側のアーム枢支部１８と軸受部２０とが形成される。
【００２４】
支持体１４からアーム枢支部１６及び１８の貫通孔を通るようにして、連結アーム２２及び２４が形成される連結アーム２２及び２４が回動することにより、その先端部は円弧を描くようにして移動する。
【００２５】
連結アーム２２及び２４の先端部には、挟持体２６が取付けられる。挟持体２６は、長方形状に形成され、基台１２との間に書類などを挟み込むことによって、書類を保持するためのものである。この挟持体２６の長手方向の両端側において、挟持体２６の側面に連結アーム２２及び２４の先端部が取り付けられる。さらに、支持体１４と対向する軸受部２０との間には、操作レバー３２の枢軸たる支持軸２８が取付けられる。この支持軸２８にバネ部材３０を構成するねじりコイルばねのコイル部を巻回するようにして、バネ部材３０が回転可能に取付けられる。
【００２６】
バネ部材３０の一端側のコイル部の端部から延びる作動腕３０ａは、軸受部２０の面に平行に延び、さらに折れ曲がって軸受部２０の面にほぼ直交するように形成される。そして、バネ部材３０の一端側の作動腕３０ａが、挟持体２６に接続される。
さらに、支持軸２８に近接して、操作レバー３２が形成される。操作レバー３２には、バネ部材３０の他端側のコイル部の端部から延びる作動腕３０ｂが接続される。
操作レバー３２は、その後ろ側端には、支持軸２８に枢支される枢支部を有し、且つ、その自由端側の上面に押圧部を有する操作レバー本体３４を備えている。操作レバー本体３４の側面の長手方向に延びる突条３６の支持体１４側の表面には、操作レバー３２をロックするための突起３６aが支持体１４側に向けて突設されている。
【００２７】
挟持体２６とは反対側における操作レバー３２の側にある支持体１４に、操作レバー３２の突起３６aをロックするロック手段３００が、操作レバー３２の長手方向に沿って移動自在に設けられる。
支持体１４は、基台１２に連続して、操作レバー３２の長手方向に沿って、後ろ側のアーム枢支部１６から手前側のアーム枢支部１８の近傍に至るまで設けられており、ロック手段３００は、この支持体１４に移動自在に設けられている。
【００２８】
支持体１４は、基台１２より起立された直立部１４aと、直立部１４aの先端（基台１２とは反対側）が、水平方向に折り曲げられた滑り保持部１４bとを備える。滑り保持部１４bは、直立部１４aの長手方向に連続して延びている。
【００２９】
ロック手段３００は、操作レバー３２の長手方向に伸びる、略直方体状ロック本体３０２を備え、人体又は物体が引っ掛からないような、主として平面からなるブロック体であり、支持体１４に嵌合するガイド溝３０４が長手方向に穿設され、ガイド溝３０４の内面が支持体１４の外表面に摺接する。
【００３０】
ロック本体３０２は、水平平面板状の上壁３０２aと、該上壁３０２aの操作レバー３２側の端部より垂下された垂直平面板状の内壁３０２bと、該上壁３０２aの支持体１４の外側の端部より垂下された垂直平面板状の外壁３０２cと、該外壁３０２cの下部より直立部１４a側にむけて突出された水平平面板状の下壁３０２dと、外壁３０２cの内面より直立部１４a側に向けて突出された水平状の中間壁３０２eとを備える。
下壁３０２dの直立部１４a側表面は、直立部１４aと摺接する平面に形成されている。
【００３１】
ロック手段３００のガイド溝３０４は、支持体１４の直立部１４aに対応する垂直溝部３０４aと、支持体１４の滑り保持部１４bに対応する水平溝部３０４bとを備える。垂直溝部３０４aは、内壁３０２bの内側と中間壁３０２eの外面との間に形成され、水平溝部３０４bは、上壁３０２aの内面と中間壁３０２eの上面との間に形成されている。
【００３２】
ロック手段３００は、ロック本体３０２のガイド溝３０４より外側の、すなわち操作レバー３２側下縁には、前記操作レバー３２の突起３６aを係止し、操作レバー３２をロック状態にするための係止縁３０６が形成されている。係止縁３０６の手前側、すなわち操作レバー３２の自由端側には、操作レバー３２の突起３６aのロックを解除するための間隙部３０８が形成されている。
【００３３】
ロック手段３００は、そのロック本体３０２の上部上面より下方に形成された係止縁３０６にいたる間隙部３０８が穿設されている。
間隙部３０８は、操作レバー３２の支持体１４側側面に形成された突起３６aが、操作レバー３２を回動しロック状態とするために自由端側を下方に向けて移動させた時、操作レバー３２の突起３６aが位置する突起３６aの直下に設けられており、その前端縁は垂直面で、後端縁は上方に向かうに従って後ろ側に傾斜する斜面が形成されている。
【００３４】
間隙部３０８は、ロック手段３００の長手方向において、ロック手段３００を支持体１４に沿って操作レバー３２の解除方向（後ろ側）に向けて押して移動させたとき、係止縁３０６に係止されていた操作レバー３２の突起３６aが間隙部３０８の位置に至るような位置に形成されている。また、間隙部３０８の長さ及び幅は、操作レバー３２の支持体１４側側縁より突き出された突起３６aの突き出した長さ及び幅に対応して、突起３６aの長さ及び幅と同一かもしくはそれ以上の長さ及び幅を有する。
【００３５】
この間隙部３０８は、操作レバー３２をロックするときに、通過するとともに、操作レバー３２のロックを解除するときにも通過するよう構成されている。
【００３６】
ロック手段３００は、その手前側端にロック手段３００を押す押圧部３００ａを備え、且つ操作レバー３２の突起３６aをロックする方向に付勢する付勢手段３１０が設けられている。
押圧部３００ａは、人が指でロック手段３００を押すに必要な面積を備えている。
付勢手段３１０は、係止縁３０６より下方において、支持体１４の一端（手前側の端縁の突出片１４c）とロック手段３００の手前側の一端（ロック手段３００の押圧部３００ａの内側）との間に架け渡されたコイルバネ３１２により構成されている。
【００３７】
そして、操作レバー３２は、ロックするために下方に向けて回動させたとき、操作レバー３２の突起３６aがロック手段３００の間隙部３０８の後端縁に沿って下方に向けて下降し、ロック手段３００は、付勢手段３１０の付勢力に抗して移動し、操作レバー３２の突起３６aがロック手段３００の係止縁３０６に係止されるように移動する。
また、操作レバー３２のロックを解除するときは、ロック手段３００を付勢手段３１０の付勢力に抗して手前側より押して後方に移動させれば、間隙部３０８に至った操作レバー３２の突起３６aがロック位置より上方に移動し、間隙部３０８から出ることにより操作レバー３２のロックが解除される。
【００３８】
この綴具２１０によれば、操作レバー３２を真下に向けて回転させるだけで、操作レバー３２のロックをすることができ、また、ロック手段３００の手前側を後ろ側に向けて押すことにより操作レバー３２のロックを解除することができる。
【図面の簡単な説明】
【００３９】
【図１】この発明の一実施の形態である綴具を閉じた状態を示す斜視図である。
【図２】図１に示す綴具を開いた状態を示す斜視図である。
【図３】図１に示す綴具の平面図解図である。
【図４】図３のA-A  断面拡大図である。
【図５】図１に示す綴具の右側面図解図である。
【図６】図１に示す綴具の開いた状態の右側面図解図である。
【図７】図１に示す綴具のロック手段の右側面図解図である。
【図８】操作レバーのロックを解除するときのロック手段の右側面図解図である。
【図９】操作レバーのロックを解除するときのロック手段の右側面図解図である。
【図１０】操作レバーをロックするときの横断面図解図である。
【図１１】操作レバーをロックするときの横断面図解図である。
【図１２】操作レバーをロックするときの横断面図解図である。
【図１３】この発明の別の実施の形態である綴具を閉じた状態を示す斜視図である。
【図１４】図１３に示す綴具を開いた状態を示す斜視図である。
【図１５】図１に示す綴具の平面図解図である。
【図１６】図１に示す綴具の横断面図であり、（A）は、図１５のA-A断面拡大図であり、（B）は、要部の断面拡大図である。
【図１７】図１３に示す綴具の右側面図解図である。
【図１８】図１３に示す綴具の開いた状態の右側面図解図である。
【図１９】図１３に示す綴具のロック手段の右側面図解図である。
【図２０】ロック手段の操作レバーのロックを解除するときのロック手段右側面図解図である。
【図２１】ロック手段の操作レバーのロックを解除するときのロック手段右側面図解図である。
【図２２】操作レバーをロックするときの横断面図解図である。
【図２３】操作レバーをロックするときの横断面図解図である。
【図２４】操作レバーをロックするときの横断面図解図である。
【符号の説明】
【００４０】
１０、２１０  綴具
１２  基台
１４  支持体
１４a  直立部
１４b  滑り保持部
１４c  突出片
１６、１８  アーム枢支部
２０  軸受部
２２、２４  連結アーム
２６  挟持体
２８  支持軸
３０  バネ部材
３２  操作レバー
３４  操作レバー本体
３６  突条
３６  突起
３８  整列部材
４０  貫通孔
１００、３００  ロック手段
１０２、３０２  ロック本体
１０２a、３０２a  上壁
１０２b、３０２b  内壁
１０２c、３０２c  外壁
１０２d、３０２d  下壁
１０２e、３０２e  中間壁
１０４、３０４  ガイド溝
１０４a、３０４a  垂直溝部
１０４b、３０４b  水平溝部
１０６、３０６  係止縁
１０８、３０８  間隙部
１１０、３１０  付勢手段
１１２、３１２  コイルバネ
１１４  停止片
【図１】
0004394052.tif 000002
【図２】
0004394052.tif 000003
【図３】
0004394052.tif 000004
【図４】
0004394052.tif 000005
【図５】
0004394052.tif 000006
【図６】
0004394052.tif 000007
【図７】
0004394052.tif 000008
【図８】
0004394052.tif 000009
【図９】
0004394052.tif 000010
【図１０】
0004394052.tif 000011
【図１１】
0004394052.tif 000012
【図１２】
0004394052.tif 000013
【図１３】
0004394052.tif 000014
【図１４】
0004394052.tif 000015
【図１５】
0004394052.tif 000016
【図１６】
0004394052.tif 000017
【図１７】
0004394052.tif 000018
【図１８】
0004394052.tif 000019
【図１９】
0004394052.tif 000020
【図２０】
0004394052.tif 000021
【図２１】
0004394052.tif 000022
【図２２】
0004394052.tif 000023
【図２３】
0004394052.tif 000024
【図２４】
0004394052.tif 000025